(57)【特許請求の範囲】
【請求項１】
下降勾配を有し、かつ下流の途中に屈曲部を有する流路を利用して懸濁物質を除去する懸濁物質の除去方法であって、
上記流路の上流部から下流に向けて被処理水を流し、該被処理水の下層に存在する懸濁物質を、上記屈曲部に於いて、該流路から流れの直進方向に弾き出して除去するとともに、懸濁物質を除去した処理済水を屈曲方向に回流させる懸濁物質の除去方法。
【請求項２】
前記流路の勾配を０．５８°〜１．１５°とした請求項１の懸濁物質の除去方法。
【請求項３】
前記屈曲部を直角に構成し、かつ該屈曲部を複数個所に設けた請求項１又は２の懸濁物質の除去方法。
【請求項４】
前記一つの屈曲部から弾き出される懸濁物質を含む被処理水の流量を、その流路の上流から流下する被処理水の流量の２〜３％とした請求項１、２又は３の懸濁物質の除去方法。
【発明の詳細な説明】
【０００１】
【発明の属する技術分野】
本発明は、浴場施設や水族館や養殖場などで循環している水の中にあってその下層に於いて懸濁状態となっている物質の除去方法に関するものである。
【０００２】
【従来の技術】
浴場施設や水族館や養殖場などの循環している水の中には、老化した動物の細胞や微生物の死骸、油状物質、空気中の塵埃及び水垢、即ち、水の中に存在しているマグネシウム、カルシウム、シリカ、アルミニウム等の非金属性物質が酸化還元作用により状態変化して析出してきた物質等の全部又は一部が混ざり合って前記循環水の下層に懸濁状態となって存在しているものである。
【０００３】
しかし、このような懸濁状態となっている物質を含んでいる水を、好気性微生物による浄化処理の目的で処理槽内の接触材や濾材などに接触させると、それらの物質が、接触材や濾材等の表面に付着して、その部分には酸素の供給が充分に行われなくなり、嫌気性となって、良好な好気性微生物による処理ができないものとなってしまう。
【０００４】
通常は、このような状態となった接触材や濾材は、そのままの状態で洗浄水で逆洗したり、槽内から取り出して高圧水で洗い流したり等して、付着した物質を除去しているが、処理装置を停止したり処理する手間が掛かったりと能率が悪いものとなっている。
【０００５】
【発明が解決しようとする課題】
本発明は、以上のような従来例の不都合を解消し、浴場施設や水族館、あるいは養殖場等で用いられている、循環している水の下層で懸濁状態となっている物質を、濾過装置や化学薬品を用いることなく、物理的な処理によって、手間を掛けずに効率よく除去することを解決の課題とする。
【０００６】
【課題を解決するための手段】
本発明の１は、下降勾配を有し、かつ下流の途中に屈曲部を有する流路を利用して懸濁物質を除去する懸濁物質の除去方法であって、
上記流路の上流部から下流に向けて被処理水を流し、該被処理水の下層に存在する懸濁物質を、上記屈曲部に於いて、該流路から流れの直進方向に弾き出して除去するとともに、懸濁物質を除去した処理済水を屈曲方向に回流させる懸濁物質の除去方法である。
【０００７】
本発明の２は、本発明の１の懸濁物質の除去方法に於いて、前記流路の勾配を０．５８°〜１．１５°とした懸濁物質の除去方法である。
【０００８】
本発明の３は、本発明の１又は２の懸濁物質の除去方法に於いて、前記屈曲部を直角に構成し、かつ該屈曲部を複数個所に設けた懸濁物質の除去方法である。
【０００９】
本発明の４は、本発明の１、２又は３の懸濁物質の除去方法に於いて、前記一つの屈曲部から弾き出される懸濁物質を含む被処理水の流量を、その流路の上流から流下する被処理水の流量の２〜３％とした請求項１、２又は３の懸濁物質の除去方法である。
【００１０】
【発明の実施の形態】
本発明は、浴場施設や水族館や養殖場などで循環している水の中に含まれる懸濁物質を物理的に除去する除去方法である。即ち、勾配を有する流路であって、その下流途中に屈曲部を構成した流路を利用して懸濁物質を除去する方法であり該流路の上流から下流に向けて被処理水を流し、上記被処理水の下層に存在する懸濁物質を、被処理水の一部とともに、上記屈曲部に於いて、上記流路から流れの直進方向に弾き出して除去すると同時に、懸濁物質を除去した処理済水を屈曲方向に回流させる懸濁物質の除去方法である。
【００１１】
前記被処理水は、主として浴場施設や水族館、あるいは養殖場等で循環再利用している循環水であって、健康ランドや日帰りの湯等と一般に呼ばれている施設の浴槽の湯水や、水族館や養殖場等の魚その他の飼育槽の水等を対象としたものである。
【００１２】
前記懸濁物質は、前述のように、老化した動物の細胞、微生物の死骸、油状物質、空気中の塵埃及び水垢、即ち、水の中に存在しているマグネシウム、カルシウム、シリカ、アルミニウム等の非金属性物質が酸化還元作用により状態変化して析出してきた物質等の全部又は一部が混ざり合って、その比重差から前記循環水の下層に懸濁状態となって存在するものである。
【００１３】
前記流路は、例えば、上部開放で、断面形状がＵ字型、Ｖ字型、半円弧型等の樋状部材、または円筒状や角筒状のパイプ状部材等を自由に採用することができる。その材質としてはプラスチック又は金属の何れでも不都合はない。
例えば、前記流路としては、塩化ビニル製のパイプ体又はこれを長さ方向に二つ割りにして半円弧状断面の樋状のものが用いることができる。
【００１４】
この流路には、０．５８°〜１．１５°（概ね１／１００〜２／１００）の勾配を付けて、その勾配の下方側には屈曲部を設ける。その屈曲部は、例えば、エルボを長さ方向に均等に二つ割にした屈曲部材を用い、これを上部開放状態で前記流路に連結して直角部を形成するものである。
そしてこの屈曲部は、被処理水に含まれる懸濁物質の除去率を高めるために複数個所に配して構成するのが適当である。
【００１５】
このように構成した流路の上流部から懸濁物質を含んだ被処理水を流すと、該被処理水は、該流路中をその勾配によって流下し、下流の屈曲部に於いて、側壁に衝突し、その際に、被処理水の下層に位置する比重の大きな懸濁物質は、若干の水とともに慣性によって直進し側壁をよじ登って弾き出され、除去されることとなる。
【００１６】
この時、一つの屈曲部から弾き出される懸濁物質を含む被処理水を、被処理水の流量の２〜３％体での流量とするのが良い。
ここで一つの屈曲部から弾き出される量をこれより多くすると、懸濁物質の量に比して同時に弾き出される被処理水の量が多くなり過ぎることとなり、また、屈曲部から弾き出される量をこれより少なくすると、懸濁物質を充分に弾き出すことができないものとなって、いずれの場合も処理効率が悪いものとなってしまう。
【００１７】
また、弾き出された懸濁物質を多量に含む水は、いったん懸濁物質受入れ容器に受け入れて、これを堆肥や腐葉土などの上に散布すれば、肥料として利用することができる。また懸濁物質を除去した処理済水は、前記流路の中を直角方向に回流して貯留槽などに送られて再利用に供されるものである。
【００１８】
【実施例】
以下、本発明の実施例を図面を参照しながら詳細に説明する。図１は、本発明の懸濁物質の除去方法に用いる装置の１実施例を示す説明図である。
【００１９】
＜実施例１＞
先ず、被処理水を処理する装置として、図１に示すように、直径が１５０mmの断面半円弧状の塩化ビニル製の樋１ａ、１ｂ、１ｃを用意し、その樋１ａの勾配を０．８６°（約１．５／１００）に設定して第１流路Ａを構成し、その第１流路Ａの下端に直径が１５０mmのエルボを均等に二つ割にしてなる屈曲部材２ａの上端を連結して第１屈曲部（直角部）を構成し、該第１屈曲部の下端に樋１ｂを連結し、かつその勾配を同様に０．８６°に設定して第２流路Ｂを構成し、その第２流路Ｂの下端に屈曲部材２ｂの上端を連結して第２屈曲部（直角部）を構成し、該第２屈曲部の下端に樋１ｃを連結して勾配を更に同様に０．８６°に設定し第３流路Ｃを構成した。
【００２０】
更に、上記第１流路Ａの上端部には被処理水を該第１流路Ａに導入するための被処理水導入管４を、第１屈曲部の近傍で第１流路Ａの延長方向及び第２屈曲部の近傍で第２流路Ｂの延長方向のそれぞれには弾き出された懸濁物質を多量に含む被処理を受け入れる懸濁物質受入れ容器５ａ又は５ｂを、第３流路Ｃの下端の近傍でその延長方向には処理済水を受け入れる処理済水貯留槽６を、それぞれ配置して、この実施例の懸濁物質の除去方法に用いる装置を完成させた。なお前記被処理水導入管４には流量調節バルブ３を付設した。
【００２１】
この装置の第１流路Ａの上端部に、被処理水導入管４より被処理水として某健康ランドの浴槽の湯を導入して、その被処理水に含まれる懸濁物質を除去することとした。また、その時に第１流路Ａの上端への導入量は、第１屈曲部から弾き出される量が導入量の３％になるように流量調節バルブ３によって調節した。
【００２２】
これによって被処理水は、第１流路Ａ→第１屈曲部→第２流路Ｂ→第２屈曲部→第３流路Ｃと流下し、そのとき、第１屈曲部及び第２屈曲部に於いて、被処理水に含まれその下層に存在する懸濁物質は、若干の被処理水とともに、各流路の外に弾き出され、これは、第１屈曲部では懸濁物質受入れ容器５ａに、第２屈曲部では懸濁物質受入れ容器５ｂに、それぞれ受け入れられ、更に第３流路Ｃから流下する処理済水は処理済水貯留槽６に受け入れられた。
【００２３】
＜実施例２＞
前記実施例１の装置を用いて、被処理水として某水族館の魚の飼育槽の水を被処理水導入管４より第１流路Ａに導入し、被処理水に含まれる懸濁物質を除去することとした。また、その時の第１流路Ａへの導入量は、第１屈曲部から弾き出される量が、導入量の２％になるように流量調節バルブ３で調節した。
【００２４】
これによって導入した被処理水は、第１流路Ａ→第１屈曲部→第２流路Ｂ→第２屈曲部→第３流路Ｃと流下し、第１屈曲部及び第２屈曲部に於いて、被処理水に含まれその下層に存在する懸濁物質は、若干の被処理水とともに、各流路の外に弾き出され、これは第１屈曲部では懸濁物質受入れ容器５ａに、第２屈曲部では懸濁物質受入れ容器５ｂに、それぞれ受け入れられ、更に第３流路Ｃから流下する処理済水は処理済水貯留槽６に受け入れられた。
【００２５】
前記実施例１及び実施例２で用いた各被処理水、前記実施例１及び実施例２で処理した各処理済水をそれぞれサンプリングし、次に示す試験項目及び試験方法によってその水質を測定して本発明の効果を確認した。
【００２６】
＜試験項目及び試験方法＞
各被処理水及び各処理済水の試験測定は、測定前に均一になるようによく振とうさせた後に行うようにした。
１．透視度
測定液を上部から導入し、下部から任意に排出できるような構造とし、底に二重十字標識板を入れた直径３５mm、高さ６０cmのガラス管を使用し、これに測定液を満たし、該ガラス管の上から覗いて、上記二重十字標識がはっきりと識別できる底からの高さ（cm）を計測し、測定液の透視度とする。
２．ＳＳ濃度
Ｓ６９年環告６４付表８に基づき測定する。測定単位ppm。
【００２７】
【表１】
0003899227.tif 000002
【００２８】
＜実施例の試験結果の考察＞
前記表１の実施例１及び実施例２の各測定結果から判るように、被処理水の処理後の透視度及びＳＳ濃度の値は、いずれも処理前のそれらの値と比較してはっきりとした優位差が出ており、この実施例の懸濁物質の除去方法は優れたものであることが分かる。
【００２９】
【発明の効果】
従って、本発明の１の懸濁物質の除去方法によれば、被処理水の下層で懸濁状態となっている物質を、濾過装置や化学薬品を用いることなく、勾配を設定し、かつその途中に屈曲部を配して構成した流路を通過させることだけで、手間も掛けずに容易に効率よく除去することができる。
【００３０】
また、この処理を行うことよって後工程の好気性微生物処理に於いて、その処理槽の接触材や濾材等の表面に、前記懸濁状態となっている物質が付着することが無くなり、酸素の供給が充分に行われるようになって、良好な好気性微生物処理ができるようになる。
【００３１】
本発明の２の懸濁物質の除去方法によれば、前記流路に適度の勾配を設定したので、被処理水は前記流路を適度な速度を保持して流下するようになり、被処理水の下層で懸濁状態となっている物質を、屈曲部で、流れの直進方向に弾き出して除去することができる。
【００３２】
本発明の３の懸濁物質の除去方法によれば、前記流路には屈曲部を直角に構成し、かつ該屈曲部を複数個所に構成したので、被処理水の中に存在する懸濁状態となっている物質を取り残しなく効率よく除去することができる。
【００３３】
本発明の４の懸濁物質の除去方法によれば、前記一つの屈曲部から弾き出される懸濁物質を多量に含む被処理水の流量を、上流から流下する被処理水の流量の２〜３％としたので、懸濁状態となっている物質を取り残しなく、効率よく除去し、かつ回流させる処理水の回収率を高めることができる。
【図面の簡単な説明】
【図１】一実施例の懸濁物質の除去方法に用いる装置の１例を示す説明図。
【符号の説明】
１ａ、１ｂ、１ｃ  樋
２ａ、２ｂ  屈曲部材
３    流量調節バルブ
４    被処理水導入管
５ａ、５ｂ  懸濁物質受入れ容器
６    処理済水貯留槽
Ａ    第１流路
Ｂ    第２流路
Ｃ    第３流路
【図１】
0003899227.tif 000003